(57)【要約】  一実施形態では、オペレータのポリシーに基づいて、マルチアクセス通信システムのユーザー装置ＵＥによるＩＰトラフィックのルーティングのためのアクセス・ネットワークの制御／アクセス技術の選択のための方法が提供され、  −前述のオペレータのポリシーは、特定のＱｏＳフィルタに一致するＩＰトラフィックに基づいて、サービスの質ＱｏＳベースのポリシーを含む。
2013546243.tif 000002
【特許請求の範囲】
【請求項１】
オペレータのポリシーに基づいて、マルチアクセス通信システムのユーザー装置ＵＥによるＩＰトラフィックのルーティングのためのアクセス・ネットワークの制御／アクセス技術の選択のための方法であって、
−前記オペレータのポリシーは、特定のＱｏＳフィルタに一致するＩＰトラフィックに基づいて、サービスの質ＱｏＳベースのポリシーを含む
方法。
【請求項２】
−前記オペレータのポリシーは、移動通信システムによってこのＩＰトラフィックに提供されるサービスの質について特定のフィルタに一致するＩＰトラフィックに基づいて、サービスの質ＱｏＳベースのポリシーを含む
請求項１に記載の方法。
【請求項３】
−移動通信システムによって提供される前記サービスの質は、前記移動通信システムのサービスの質ポリシー・サーバーによって決定される
請求項２に記載の方法。
【請求項４】
−前記ＱｏＳベースのポリシーは、１つまたは複数のフィルタ・ルールを含み、特定のＱｏＳフィルタに一致するトラフィックをルーティングするために利用できる場合、それぞれが、前記ＵＥによって使用されるアクセス技術／アクセス・ネットワークの優先順位が付けられたリストを識別する
請求項１乃至３のいずれか１項に記載の方法。
【請求項５】
−前記ＱｏＳベースのポリシーは、１つまたは複数のフィルタ・ルールを含み、特定のＱｏＳフィルタに一致するトラフィックに対して、それぞれが、どのアクセス技術／アクセス・ネットワークを制限するかを識別する請求項１乃至４のいずれか１項に記載の方法。
【請求項６】
−前記ＱｏＳベースのポリシーをユーザー装置にダウンロードするステップ
を含む請求項１乃至５のいずれか１項に記載の方法。
【請求項７】
−ポリシー・サーバーが、特にＡＮＤＳＦにおいて、前記ＱｏＳベースのポリシーをユーザー装置にダウンロードするステップ
を含む請求項１乃至６のいずれか１項に記載の方法。
【請求項８】
−サービス実行のときに、サービス・データ・フローＳＤＦに関連するＱｏＳについてユーザー装置に通知するステップ
を含む請求項１乃至７のいずれか１項に記載の方法。
【請求項９】
−前記ＱｏＳベースのポリシー、および前記トラフィックを運ぶサービス・データ・フローに関連するＱｏＳに基づいて、ＩＰトラフィックのルーティングのためのアクセス・ネットワーク／アクセス技術を選択するユーザー装置
を含む請求項１乃至８のいずれか１項に記載の方法。
【請求項１０】
３ＧＰＰおよび非３ＧＰＰのアクセス・ネットワーク／アクセス技術を含むシステムにおいて、
−前記ＳＤＦがマッピングされるベアラの確立または変更のために、ユーザー装置ＵＥと３ＧＰＰコア・ネットワークとの間で交換される信号を使用して、サービス・データ・フローＳＤＦに関連するＱｏＳについてＵＥに通知するステップ
を含む請求項１乃至９のいずれか１項に記載の方法。
【請求項１１】
３ＧＰＰおよび非３ＧＰＰのアクセス・ネットワーク／アクセス技術を含むマルチアクセス通信システムでのＱｏＳサポートのための方法であって、
−サービス・データ・フローＳＤＦに対して、３ＧＰＰのアクセス・ネットワーク／アクセス技術を通じてベアラの確立または変更を必要としないユーザー装置ＵＥへの３ＧＰＰコア・ネットワークによって割り当てられた前記ＳＤＦに関連するＱｏＳの通知
を含む方法。
【請求項１２】
−３ＧＰＰのアクセス・ネットワーク／アクセス技術を通じてユーザー装置ＵＥと３ＧＰＰコア・ネットワークとの間で交換される専用の信号を使用して、サービス・データ・フローＳＤＦに関連するＱｏＳについてＵＥに通知するステップ
を含む請求項１１に記載の方法。
【請求項１３】
−非３ＧＰＰのアクセス・ネットワーク／アクセス技術を通じてユーザー装置ＵＥと３ＧＰＰコア・ネットワークとの間で交換される専用の信号を使用して、サービス・データ・フローＳＤＦに関連するＱｏＳについてＵＥに通知するステップ
を含む請求項１１に記載の方法。
【請求項１４】
ユーザー装置によるＩＰトラフィックのルーティングのためのアクセス・ネットワークの制御／アクセス技術の選択のために、特定のＱｏＳフィルタに一致するＩＰトラフィックに基づいて、サービスの質ＱｏＳベースのポリシーをサポートするシステムにおける、請求項９乃至１３のいずれか１項に記載の方法。
【請求項１５】
請求項１乃至１４のいずれか１項に記載の方法を実行するための手段を含むユーザー装置。
【請求項１６】
マルチアクセス通信システムにおいて、請求項１乃至１４のいずれか１項に記載の方法を実行するための手段を含む、ポリシー・サーバーなどのネットワーク・エンティティー。
【請求項１７】
請求項１乃至１４のいずれか１項に記載の方法を実行するための手段を含む、マルチアクセス通信システムでの信号を管理するネットワーク・エンティティーなどのネットワーク・エンティティー。
【発明の詳細な説明】
【技術分野】
【０００１】
本発明は、一般的に、通信ネットワークおよびシステムに関する。
【背景技術】
【０００２】
通信ネットワークおよびシステムの記述は、特に、たとえば３ＧＰＰ（３ｒｄ  Ｇｅｎｅｒａｔｉｏｎ  Ｐａｒｔｎｅｒｓｈｉｐ  Ｐｒｏｊｅｃｔ）など、標準化団体によって公表されている技術仕様書などの文献で見つけることができる。
【０００３】
通信システムにおいて、ユーザー装置ＵＥなどの端末は、アクセス・ネットワーク／アクセス技術を介してコア・ネットワークによって提供される通信サービス（具体的には、ＩＰベースのサービスなど）にアクセスする。異なるタイプのアクセス・ネットワーク／アクセス技術があってもよい。
【０００４】
通信システムの一例として進化型パケット・システムＥＰＳがあり、その記述は、特に３ＧＰＰ  ＴＳ２３．４０１および３ＧＰＰ  ＴＳ２３．４０２で見つけることができる。ＥＰＳなどのシステムは、３ＧＰＰアクセス・ネットワーク（ＧＥＲＡＮ、ＵＴＲＡＮ、ＨＳＰＡ、Ｅ−ＵＴＲＡＮなど）および非３ＧＰＰアクセス・ネットワーク（ＷｉＦｉ、ＷｉＭＡＸなど）を含むアクセス・ネットワークによってアクセスできる進化型パケット・コアＥＰＣを含む。通信システムの他の例として３Ｇ−ＷＬＡＮインターワーキングがあり、その記述は、特に３ＧＰＰ  ＴＳ２３．０６０および３ＧＰＰ  ＴＳ２３．２３４で見つけることができる。３Ｇ−ＷＬＡＮインターワーキングのようなシステムは、３ＧＰＰ／３Ｇ／ＵＭＴＳアクセス・ネットワーク（ＧＥＲＡＮ、ＵＴＲＡＮ、ＨＳＰＡなど）および非３ＧＰＰ／ＷＬＡＮアクセス・ネットワークによってアクセスできる３Ｇ／ＵＭＴＳパケット・コアを含む。もちろん、３ＧＰＰ以外の標準化団体によって指定されたシステムを含む通信システムの例が他にある。
【０００５】
ＩＰベースの通信サービスは、ＵＥと外部パケット・データ・ネットワークＰＤＮとの間で、ＰＤＮ接続サービスと呼ばれるＩＰ接続を提供することを含む。ＰＤＮの例として、公共のインターネット、イントラネット、オペレータによるＩＭＳネットワークなどがある。ＰＤＮ接続サービスは、サービス・データ・フローＳＤＦと呼ばれる１つまたは複数のＩＰフローを含むＩＰトラフィック・フロー全体の搬送をサポートする。
【０００６】
そのようなシステムは最近、異なるアクセス・ネットワーク／アクセス技術を通じて、ユーザー装置が異なるＩＰフローを同じＰＤＮ接続にルーティングすることを可能にし、オペレータが、特定のＩＰフローをルーティングするべきアクセス・ネットワーク／アクセス技術に影響を及ぼせるように拡張された。そのような機能は、ＩＰフロー・モビリティＩＦＯＭ（その記述は、たとえば３ＧＰＰ  ＴＳ２３．２６１で見つけることができる）およびアクセス・ネットワーク発見選択機能ＡＮＤＳＦ（その記述は、たとえば３ＧＰＰ  ＴＳ２３．４０２および３ＧＰＰ  ＴＳ２４．３１２で見つけることができる）と呼ばれるフレームワーク内で、インター・システム・ルーティングとも呼ばれている。
【先行技術文献】
【非特許文献】
【０００７】
【非特許文献１】３ＧＰＰ  ＴＳ２３．４０１
【非特許文献２】３ＧＰＰ  ＴＳ２３．４０２
【非特許文献３】３ＧＰＰ  ＴＳ２３．０６０
【非特許文献４】３ＧＰＰ  ＴＳ２３．２３４
【非特許文献５】３ＧＰＰ  ＴＳ２３．２６１
【非特許文献６】３ＧＰＰ  ＴＳ２４．３１２
【非特許文献７】３ＧＰＰ  ＴＳ２３．２０３
【非特許文献８】３ＧＰＰ  ＴＳ２４．３０１
【非特許文献９】３ＧＰＰ  ＴＳ２３．００２
【非特許文献１０】３ＧＰＰ  ＴＳ２３．２２８
【非特許文献１１】３ＧＰＰ  ＴＳ２９．２１４
【非特許文献１２】３ＧＰＰ  ＴＳ  ２９．２１２
【非特許文献１３】３ＧＰＰ  Ｒｅｌ−１０
【非特許文献１４】３ＧＰＰ  ＴＳ２９．２７４
【非特許文献１５】３ＧＰＰ  ＴＳ２４．００８
【発明の概要】
【発明が解決しようとする課題】
【０００８】
そのようなシステムでは、そのようなインター・システム・ルーティング機能を改善する必要性がある。そのようなシステムでは、ＱｏＳのサポートを改善する必要もある。より一般的には、そのようなシステムでは、通信サービスを改善する必要性がある。
【課題を解決するための手段】
【０００９】
本発明の実施形態は、特に、そのような必要性に対処するものである。
【００１０】
これらおよび他の目的は、本発明の実施形態の一態様において、マルチアクセス通信システムにおけるユーザー装置ＵＥによるＩＰトラフィックのルーティングのためのアクセス・ネットワークの制御／アクセス技術の選択のための方法によって、オペレータのポリシーに基づいて達成され、
−前述のオペレータのポリシーは、特定のＱｏＳフィルタに一致するＩＰトラフィックに基づいて、サービスの質ＱｏＳベースのポリシーを含む。
【００１１】
これらおよび他の目的は、本発明の実施形態の一態様において、３ＧＰＰおよび非３ＧＰＰのアクセス・ネットワーク／アクセス技術を含むマルチアクセス通信システムにおけるＱｏＳサポートのための方法によって達成され、前述の方法は、
−サービス・データ・フローＳＤＦに対して、３ＧＰＰアクセス・ネットワーク／アクセス技術を通じてベアラの確立または変更を必要としないユーザー装置ＵＥへの３ＧＰＰコア・ネットワークによって割り当てられた前述のＳＤＦに関連するＱｏＳの通知を含む。
【００１２】
これらおよび他の目的は、そのような方法（複数化）を実行するためのエンティティーによって、他の態様において達成され、前述のエンティティーは、ユーザー装置ＵＥを含み、次にネットワーク・エンティティーは、ポリシー・サーバーなどのエンティティー（特に、ＰＣＲＦ（３ＧＰＰ  ＴＳ２３．２０３で規定）およびＡＮＤＳＦサーバーなど）、およびコントロール・プレーンで信号を管理するエンティティーを含む。
【００１３】
ここで、本発明の実施形態による装置および／または方法の一部の実施形態について、例示のみを目的として、添付図面に関して記述する。
【図面の簡単な説明】
【００１４】
【図１】本発明の実施形態によって回避できる特定の欠点を持つ可能な解決策に従った、ユーザー装置によるＩＰトラフィックのルーティングのためのアクセス・ネットワークの制御／アクセス技術の選択のためのマルチアクセス通信システムにおける信号を示すことを意図する図である。
【図２】本発明の実施形態による、ユーザー装置によるＩＰトラフィックのルーティングのためのアクセス・ネットワークの制御／アクセス技術の選択のために、マルチアクセス通信システムにおける信号を示すことを意図する図である。
【図３】本発明の実施形態による、ユーザー装置によるＩＰトラフィックのルーティングのためのアクセス・ネットワークの制御／アクセス技術の選択を示すことを意図する図である。
【発明を実施するための形態】
【００１５】
図１および図２に示す通信システムの例は、上で触れたＥＰＳまたは３Ｇ−ＷＬＡＮインターワーキングに対応し、図示する例示では、
−ユーザー装置ＵＥ、
−３ＧＰＰ無線アクセス・ネットワークＲＡＮ、
−ＷｉＦｉなど、非３ＧＰＰ無線アクセス・ネットワークＲＡＮ、
−進化型パケット・コアＥＰＣ（次に、ＰＤＮゲートウェイＰＧＷ、サービング・ゲートウェイＳＧＷ、モビリティ管理エンティティーＭＭＥ、またはＳ４サービングＧＰＲＳサポート・ノードＳＧＳＮ）、進化型パケット・データ・ゲートウェイｅＰＤＧを含む）、
−３Ｇ／ＵＭＴＳパケット・コア（次に、ゲートウェイＧＰＲＳサポート・ノードＧＧＳＮ、サービングＧＰＲＳサポート・ノードＳＧＳＮ、パケット・データ・ゲートウェイＰＤＧを含む）、
−ポリシーおよび課金ルール機能ＰＣＲＦ、サブスクリプション・プロファイル・リポジトリＳＰＲ、アクセス・ネットワーク発見選択機能ＡＮＤＳＦ、およびたとえば代理呼セッション制御機能Ｐ−ＣＳＣＦなどの応用機能を含む、より高いレベル機能エンティティー
を含む。
【００１６】
本発明の実施形態は、３ＧＰＰ無線（ＧＳＭ、ＵＭＴＳ、ＬＴＥ）など複数のＲＡＴ（無線アクセス技術）およびＷＬＡＮ無線（ＩＥＥＥが規定する８０２．１１によるＷｉＦｉ）など非３ＧＰＰ無線をサポートするＵＥに適用される。
【００１７】
本発明の実施形態では、ＵＥにおいて、サービス・データ・フローを送信するためにＵＥが使用する無線アクセス技術または／および無線アクセス・ネットワークを制御するルールの構成を簡素化することができる。
【００１８】
本発明の実施形態では、ＩＰフローに関連するＱｏＳに基づいて、オペレータが好むＲＡＴまたは／およびオペレータが好むＲＡＮをＵＥが動的に選択することを可能にできる。
【００１９】
ＩＳＲＰ（インター・システム・ルーティング・ポリシー−３ＧＰＰ  ＴＳ２３．４０２）の現在の（３ＧＰＰ）定義では、オペレータは、ＡＰＮ（３ＧＰＰ  ＴＳ２３．０６０およびＴＳ２３．４０１で規定されるようなアクセス・ポイント名）および／またはＩＰフィルタに基づいてポリシーを設定できるだけである：
「１つまたは複数のフィルタ・ルールであり、特定のＩＰフィルタおよび／または特定のＡＰＮに一致するトラフィックをルーティングするために利用できる場合、それぞれが、ＵＥによって使用されるものとするアクセス技術／アクセス・ネットワークの優先順位が付けられたリストを識別する。フィルタ・ルールは、また、特定のＩＰフィルタおよび／または特定のＡＰＮに一致するトラフィックに対して、どの無線アクセスが制限されるかを識別する（たとえば、ＷＬＡＮはＡＰＮ−ｘへのトラフィックには許可されない）。」
【００２０】
ＩＰフロー（またはワイルドカードを使用するときは１組のＩＰフロー）の詳細度でＩＳＲＰを規定する可能性は必須だが、ＩＳＲＰの現在の定義では、たとえばＳＤＦ（サービス・データ・フロー）に使用するＱＣＩ（３ＧＰＰ  ＴＳ２３．２０３に規定されているＱｏＳクラス・インデックス）に関連するルールなど、オペレータが、フローに必要なＱｏＳに関連する、より粗いＩＳＲＰルールを設定することは可能ではない。
【００２１】
ＡＮＤＳＦ（３ＧＰＰ  ＴＳ２３．４０２§４．８．２で規定されているようなアクセス・ネットワーク発見選択機能）によってＵＥに送信されるＩＰフロー関連ポリシーの潜在的な主な使用法の１つは、アプリケーションに関連するＱｏＳに基づいてオペレータがＩＳＲＰ（インターシステム・ルーティング・ポリシー）を設定できるようにすること、たとえば、このＩＰフローを使用するアプリケーションが、保証ビット・レートのベアラを必要とするかどうか、優先度、または特定のパケット遅延量（ｐａｃｋｅｔ  ｄｅｌａｙ  ｂｕｄｇｅｔ）、パケット・エラー損失率などに基づいてｌＰフローを運ぶために使用されるＲＡＴを選択できるようにすることであり、これは、フローに使用するＩＰアドレスおよびポート範囲には関係ない。この種のルールの使用法の一例は、３ＧＰＰ無線の対話形の音声通話に関連するＩＰフローを維持しながら、ウェブ・ブラウジング関連のトラフィックは、ＷＬＡＮ（ワイヤレス・ローカル・エリア・ネットワーク）など、他のＲＡＴ（複数可）に負荷を渡すことである。
【００２２】
ＡＮＤＳＦによってＵＥで構成されたＩＳＲＰルールでＩＰフローを提供しても、たとえば、３ＧＰＰ無線の音声通話に関連するＩＰフローを維持するなど、なぜ要件を満たせないのか不思議に思うかもしれない。
【００２３】
問題の１つは、音声通話に関連するＩＰフローのＩＰ特性（ＩＰアドレス、ポート番号）は、（この呼をセットアップする前に）前もって知ることができないことである。
【００２４】
そのような問題を解決するために可能な解決策を図１に示している。図１は、前述の可能な解決策によって、ユーザー装置によるＩＰトラフィックのルーティングのためのアクセス・ネットワークの制御／アクセス技術の選択のために、マルチアクセス通信システムにおける信号を示すことを意図している。
【００２５】
この解決策では、ＡＮＤＳＦが、所定のサービス（たとえば音声通話）に関連するＩＰフローの特性（ＩＰアドレス、ポート番号）について動的に通知を受けること、および関連するＩＳＲＰルールを用いてＵＥを動的に更新することを必要とする。
【００２６】
これによって、ＡＮＤＳＦは、サービスの確立／リリースに関連する動的なＥＰＳ（３ＧＰＰ  ＴＳ２３．００２／２３．４０１において規定されるような進化型パケット・サブシステム）コントロール・プレーンのフローの一部になる。
サービス（たとえば音声通話）開始／停止（およびこのサービスのメディア記述）について、Ｒｘ（３ＧＰＰ  ＴＳ２９．２１４に規定されたアプリケーションとＰＣＲＦとの間のインターフェース）を通じてアプリケーション（たとえば、Ｐ−ＣＳＣＦ、３ＧＰＰ  ＴＳ２３．２２８に規定されているようなＩＭＳ（ＩＰマルチメディア・サービス）のプロキシＣＳＣＦ）が、ＰＣＲＦ（３ＧＰＰ  ＴＳ２３．２０３に規定されているポリシーおよび課金ルール機能）に通知し、ＰＣＲＦが適切なポリシー決定を下した後、これは、以下に示す２つの並列なリアルタイムの信号のフローを意味するだろう。
−専用のベアラを確立するための信号のフロー：ＰＣＥＦ／ＢＢＥＲＦ（ポリシー課金実施機能／３ＧＰＰ  ＴＳ２３．２０３に規定）へのＧｘ／Ｓ９信号、およびＰＤＮ接続を通じた専用のベアラのアクティブ化／非アクティブ化／変更に関連する信号、
および
−音声通話に関連するＩＰフローのＩＰ特性（ＩＰアドレス、ポート番号）は、すべてのサービス展開について事前に知ることができず、ＩＰフローにワイルドカードを使用してもＵＥで事前に構成できないため、開始／停止する新しいサービス・フローを考慮に入れるために、新しい信号は、ＩＰフロー関連のＩＳＲＰを更新するために、ＡＮＤＳＦを介してＰＣＲＦからＵＥに流れる。そのような動的な信号のフローは、ＵＥとＡＮＤＳＦとの間のＳ１４インターフェースを使用し、したがって、ＯＭＡ  ＤＭ（オープン・モバイル・アライアンス−デバイス管理）を使用するだろう。そのような可能な解決策を展開させるには、ＯＭＡ  ＤＭプロトコルが、たとえば呼のセットアップなどに関連する、そのようなリアルタイムの信号のフローに適しているかどうかを照合する必要があり、ＰＣＲＦとＡＮＤＳＦとの間の新しいインターフェースを標準化する必要がある。
【００２７】
図１に示す解決策では、以下のステップを提供することができる。
【００２８】
初期状況：
初期状況は、ＵＥが３ＧＰＰ／３ＧＰＰ２  ＲＡＮ（ＷＢＣＤＭＡ、ＬＴＥ・・・）および非３ＧＰＰ／３ＧＰＰ２  ＲＡＮ（たとえば、ＷｉＦｉ）の両方を通じてキャンピング（ｃａｍｐ）するか、または３ＧＰＰ／３ＧＰＰ２  ＲＡＮのみを通じてキャンピングするかである。ＰＣＲＦは、ＵＥの最初のＩＦＯＭ関連のモビリティ・ルールについて、ＩＦＯＭ手順（３ＧＰＰ  ＴＳ２３．２６１に規定されているＩＦＯＭ  ＩＰフロー・モビリティ）に従って通知されている（通知は、３ＧＰＰ  ＴＳ２３．２６１に規定されたネットワーク手順を介してＵＥからＰＣＥＦに、および３ＧＰＰ  ＴＳ２９．２１２に規定されたＩＰフロー・モビリティ・ルール通知を介してＰＣＥＦからＰＣＲＦに行く）。
−１．ＵＥでアプリケーションが起動して、アプリケーション環境（たとえば、Ｐ−ＣＳＣＦ、ＩＭＳのプロキシＣＳＣＦ）の応用機能（ＡＦ）は、Ｒｘ（アプリケーションとＰＣＲＦとの間のインターフェース）を通じてＰＣＲＦ（ポリシーおよび課金ルール機能）に、このサービスのメディア記述とともにサービス（たとえば、音声通話またはビデオ・サービス）の開始を通知する。このメディア記述は、サービス（サービス・データ・フロー情報）に関連するＩＰフローの（ＩＰ、ポート）アドレス情報を含む。
−２．ＰＣＲＦは、Ｒｘを通じて受信された情報、場合によっては、ＥＰＣにＵＥを接続するポイントに関する情報（ローミング条件、３ＧＰＰ無線および／またはＷｉＦｉなどを通じて現在接続しているＵＥ）および／またはＳＰＲから取得された契約関連情報（ユーザー・ポリシー契約関連データベース）に基づいて、適切なポリシー決定を下す。
【００２９】
この決定は、以下の２つのケースに対応することができる：
ａ．ケースα：モバイルのＩＰ−ＣＡＮ（ＩＰ接続アクセス・ネットワーク）ベアラが、（たとえば、３ＧＰＰ／３ＧＰＰ２  ＲＡＮを通じて）サービス・データ・フローを運ぶために作られる、または変更される。
そのようなベアラは、ＰＤＮ接続の専用のベアラ、または第２のＰＤＰコンテキストに対応することができる。
ｂ．ケースβ：たとえば、フローはＷｉＦｉを通じて運ばれるため、そのようなモバイルＩＰ−ＣＡＮ（ＩＰ接続アクセス・ネットワーク）ベアラは、作ったり、または変更したりできない。
【００３０】
どちらのケース（αまたはβ）を適用するかの決定は、以下のように行われる：
ＰＣＲＦは、新しいサービス・データ・フロー情報が、［Ｇｘを通じて送信されたＩＰフロー・モビリティ・ルーティング・ルールにおいてＰＣＥＦによって事前に報告される］ルーティング・ルール情報のいずれかに一致するかどうかをチェックするものとする。それらが一致する場合、ＰＣＲＦは、サービス・データ・フローのベアラ・バインディングがどこにあるかを決定する［つまり、フローが３ＧＰＰまたはＷｉＦｉのどちらを通じて運ばれるか、つまり、ケースαまたはβのどちらが適用されるかを決定する］。
後に、無線条件によって、サービス・データ・フローを運ぶためにＲＡＴを変更するようにＵＥに決定させることができる（たとえば、ＷｉＦｉを使用する代わりに３ＧＰＰ無線を使用する）。その場合、ＰＣＲＦは、ＩＦＯＭ手順に従って、この決定について通知を受ける（２３．２６１に規定されたネットワーク手順を介してＵＥからＰＣＥＦに通知、および３ＧＰＰ２９．２１２に規定されたＰＣＥＦからＰＣＲＦへのＩＰフロー・モビリティ・ルールの変更）。これが適用される場合、次に、ＰＣＲＦはケースβとケースαとを切り替える必要がある場合がある。
【００３１】
ステップ１および２は、３ＧＰＰに既に文書化されている信号および手順に対応している。
【００３２】
これは、２つの並列なリアルタイムの信号のフローを意味する（文字ＡおよびＢで描写）。
【００３３】
既存の信号に対応するフローＡ
−３Ａ．関連するＱｏＳおよび課金ポリシーをＰＧＷ／ＧＧＳＮにダウンロードするためのＰＣＥＦ／ＢＢＥＲＦ（ポリシー課金実施機能／３ＧＰＰ  ＴＳ２３．２０３に規定）へのＧｘ／Ｓ９信号。
−４Ａ．ＥＰＣ（ＰＧＷ／ＧＧＳＮ、ＳＧＷ、ＳＧＳＮ、またはＭＭＥを含む）内、およびＵＥとの信号。この信号は、ＰＤＮ接続内でサービスをサポートするために専用のベアラのアクティブ化／変更を目的としている（レガシーＧＰＲＳのＰＤＰコンテキスト）。この信号は、サービスに関連するＩＰフローの（ＩＰ、ポート）アドレス情報と（このベアラのＥＰＳ  ＱｏＳパラメータとともに）専用のベアラとの間の関連を含む。
【００３４】
ステップ４Ａは、ケースαのみで必要である。
【００３５】
フローＢ
−３Ｂ．開始／停止する新しいサービス・フローを考慮に入れるために、ＩＰフロー関連のＩＳＲＰを更新するためのＰＣＲＦからＡＮＤＳＦへの新しい信号のフロー。
−４Ｂ．ＵＥ関連のポリシーが変更されているため、ＵＥのＡＮＤＳＦクライアントに（起動されたアプリケーションによって使用されるＩＰアドレスに関連する）新しいＩＳＲＰポリシーを取り込ませるために、ＡＮＤＳＦは、ＵＥへのＳＭＳ送信に依存する可能性があるＯＭＡ  ＤＭ（Ｓ１４）プッシュを開始する。
−５Ｂ．ＵＥクライアントは、新しいＩＳＲＰポリシーを取り込む。
【００３６】
ステップ３Ｂおよび４Ｂは、非リアルタイムの通信経路を使用するため、これらのステップは時間がかかるだろう。
−６Ｂ．５Ｂで受信した新しいＩＰアドレスに基づくＩＳＲＰルールに基づいて、ＵＥは、サービス・フローをサポートするためにどのＲＡＴを選択するべきかについて適切な決定を行う。
【００３７】
図２は、本発明の実施形態に従って、マルチアクセス通信システムにおいてユーザー装置によってＩＰトラフィックをルーティングするためのアクセス・ネットワークの制御／アクセス技術の選択を示すことを意図している。
【００３８】
本発明の実施形態は、ＡＮＤＳＦは、ＵＥでＥＰＳ  ＱｏＳ関連のＩＳＲＰポリシーをダウンロードできるべきという考えに基づいている：
−ＡＮＤＳＦ  ＩＳＲＰポリシー・ルールは、オペレータが、ＥＰＳ  ＱｏＳ（たとえば、ＱＣＩ）に関連するＩＳＲＰポリシーを事前に設定できるようにアップグレードされる。そのようなルールは半静的なものである。つまり、サービス（たとえば、音声通話）を開始／停止するたびに変更する必要はない。
−サービスが開始されると、ＵＥは、サービス・データ・フローに関連するＥＰＳ  ＱｏＳパラメータ（たとえば、ＱＣＩ）について通知を受ける。そのような通知は、ＰＣＥＦを介してＰＣＲＦからＵＥへのセッション管理信号を使用する。
【００３９】
一実施形態では、ＵＥは、任意のサービスを実行する前に、場合によっては、２組のルールを用いてＡＮＤＳＦによって構成される。
１．１つまたは複数のフィルタ・ルールであり、特定のＩＰフィルタおよび／または特定のＡＰＮに一致するトラフィックをルーティングするために利用できる場合、それぞれが、ＵＥによって使用されるものとするアクセス技術／アクセス・ネットワークの優先順位が付けられたリストを識別する。フィルタ・ルールは、また、特定のＩＰフィルタおよび／または特定のＡＰＮに一致するトラフィックに対して、どの無線アクセスが制限されるかを識別する（たとえば、ＷＬＡＮはＡＰＮ−ｘへのトラフィックには許可されない）。
２．１つまたは複数のフィルタ・ルールであり、特定のＥＰＳ  ＱｏＳフィルタおよび／または特定のＡＰＮに一致するトラフィックをルーティングするために利用できる場合、それぞれが、ＵＥによって使用されるものとするアクセス技術／アクセス・ネットワークの優先順位が付けられたリストを識別する。フィルタ・ルールは、また、特定のＥＰＳ  ＱｏＳおよび／または特定のＡＰＮに一致するトラフィックに対して、どの無線アクセスが制限されるかを識別する（たとえば、ＷＬＡＮはＱＣＩ＝１へのトラフィックには許可されない）。
【００４０】
２種類目のルールは、本発明の実施形態に対応するが、１種類目のルールは、３ＧＰＰに既に規定されている。
【００４１】
一実施形態では、サービスがＵＥで実行されるときに、
１．ＵＥは、ターゲットＩＰアドレスに基づいてＲＡＴ選択ルールを使用することができる（たとえばオペレータに属しているサーバー・ファームに属しているために、たとえば、ターゲット・サーバーのＩＰアドレスを事前に知ることができる場合など）。次に、好ましい／許可されたＲＡＴに５つのタプルをマッピングするＵＥで構成された半静的なマッピング・ルール（３ＧＰＰ  Ｒｅｌ−１０準拠）は要件を満たす。この一例は、Ｐ−ＣＳＣＦまたはオペレータのビデオ・ストリーミング・サーバーのＩＰアドレス範囲でＵＥが構成されることである。これらのルールは、たとえば、（たとえば、ＨＰＬＭＮの映像サービスの）Ｈ−ＡＮＤＳＦ、または（たとえば、Ｐ−ＣＳＣＦの）Ｖ−ＡＮＤＳＦのいずれかによって送信することができる。
２．または、ターゲットＩＰアドレスは、事前に知ることができないので、ＵＥは、ターゲットＩＰアドレスに基づいてＲＡＴ選択ルールを使用することができない。その場合、ＰＣＲＦの「支援」が必要である：ＰＣＲＦは、ＩＰフローに関連するアプリケーション／サービスを認識しており、（そのルール・エンジン＋ＳＰＲ関連のデータに基づいて）このアプリケーション／サービスに必要なＥＰＳ  ＱｏＳを選択する。この場合、ＵＥは、サービス・データ・フローに関連するＥＰＳ  ＱｏＳパラメータについて通知を受け、ＵＥでＡＮＤＳＦによってダウンロードされるＥＰＳ  ＱｏＳ関連のポリシーが使用される。
【００４２】
どの種類のルール（ＩＰフローごと、またはＥＰＳ  ＱｏＳごと）を適用するかは、ＡＮＤＳＦルール間の優先度に基づく。
【００４３】
そのようなルールを規定しても、ＵＥは、ネットワークへの伝送を待機している実際のＵＬパケットを送信するためにどのＲＡＴを使用するべきかについて、最終決定のために他の（ローカル条件）入力を取ることができるという既存の仮定は変更されない。そのようなローカル条件は、たとえば、ＵＥがキャンピングしているさまざまなアクセスの現在の無線品質、またはＵＥのバッテリー状態を含むことができる。
【００４４】
図３は、本発明の実施形態に従って、ＱｏＳベースのオペレータのポリシーに基づいて、ユーザー装置ＵＥによってＩＰトラフィックをルーティングするためのアクセス・ネットワークの制御／アクセス技術の選択を概略的に示すことを意図している。
【００４５】
ＵＥにおいてアプリケーション／サービス・レベルで生成されたサービス・データ・フローＳＤＦは、ＱｏＳＦ１・・・ＱｏＳＦｎと記されたＱｏＳフィルタに適用される。ＱｏＳフィルタは、また、このＳＤＦに関連するＱｏＳパラメータを受信する。ＱｏＳフィルタは、特定のＱｏＳパラメータ（複数可）の値（複数可）に一致するＩＰトラフィックをフィルタする。たとえば、ＱｏＳＦ１は、関連するＱｏＳパラメータの第１の値を持つトラフィックをフィルタし、ＱｏＳＦ２は、この関連するＱｏＳパラメータの第２の値を持つトラフィックをフィルタする、という具合である。このように、ＱｏＳフィルタによってフィルタされたトラフィックは、次に、フィルタ・ルールに適用される。フィルタ・ルールによって、オペレータの好みに従って、このＱｏＳパラメータの所与の値に関連するトラフィックがルーティングされるべき無線アクセス・インターフェースの１つ（記載したＩＦ１・・・ＩＦＮ）を決定することができる。
【００４６】
ここで、ＩＰフローに関連するＥＰＳ  ＱｏＳをＵＥに提供する方法について、実施形態を記述する。
【００４７】
現在の２３．４０１では、ＰＣＲＦから新しいポリシー決定を受信した場合（たとえば、Ｒｘを通じて新しいアプリケーション／Ｐ−ＣＳＣＦ要求によって引き起こされた場合）、ＰＣＥＦ（ＰＧＷ／ＧＧＳＮ）は「専用ベアラのアクティベーション」手順を開始できることを明記している：その手順の間に、ＭＭＥ（３ＧＰＰ  ２３．４０１に規定されたモビリティ管理エンティティー）は、セッション管理要求（たとえば、「専用ＥＰＳベアラ・コンテキスト要求アクティブ化（Ａｃｔｉｖａｔｅ  ｄｅｄｉｃａｔｅｄ  ＥＰＳ  ｂｅａｒｅｒ  ｃｏｎｔｅｘｔ  ｒｅｑｕｅｓｔ）」）をアップリンク（ＵＬ）ＴＦＴ（トラフィック・フロー・テンプレート＝サービス・データ・フローＳＤＦを構築するＩＰフローの記述）およびＥＰＳベアラＱｏＳパラメータを含むＵＥに送信する。
【００４８】
このため、ＩＰフローに関連するＥＰＳ  ＱｏＳをＵＥに提供する方法の問題は、このＩＰフローが３ＧＰＰ無線を通じて確立され、専用の３ＧＰＰベアラの作成／変更を要求するときには、既に解決している。
【００４９】
以下は、３ＧＰＰを通じた専用のベアラの確立や変更をＳＤＦが必要としないケースで考えられる解決策である。
１．常に、３ＧＰＰ（または３ＧＰＰ２）無線を通じて送信された信号を介して、ＩＰフローからＥＰＳ  ＱｏＳにマッピングを通知する。つまり、非３ＧＰＰ（または３ＧＰＰ２）無線を通じて専用の信号を規定／標準化する必要はないだろう。これは、ＵＥが３ＧＰＰ（または３ＧＰＰ２）と非３ＧＰＰ無線とから選択できる場合に機能するだろう。
ＳＤＦが、非３ＧＰＰアクセスを通じて運ばれることになっている、つまり、このＳＤＦは、３ＧＰＰを通じて専用のベアラの確立や変更を必要としない場合でも、いずれにせよ、ＥＰＳ  ＱｏＳを用いてこのＳＤＦの関連についてＵＥに通知できるためには、３ＧＰＰ（場合によっては３ＧＰＰ２）信号の変更が必要になるだろう。
これが好ましい解決法の場合がある。
２．ＳＤＦが３ＧＰＰを通じて専用のベアラの確立や変更を必要としない場合、非３ＧＰＰを通じて新しい信号を介してＵＥに通知する：
これには、以下が必要だろう。
−ネットワーク・ベースのモビリティを適用する場合
−ＩＫＥメッセージを通じてＥＰＳ  ＱｏＳにＩＰフローのマッピングを渡せるように、ＵＥとｅＰＤＧ（ＩＫＥ−インターネット鍵交換、ＩＥＴＦ  ＲＦＣ４３０６）との間のＳＷｕインターフェースへの更新
−ＧＴＰ（ＧＩＰベースのＳ２ｂ）およびＧｘｂ（存在しない）（ＰＭＩＰベースのＳ２ｂ）での新しい信号
−ホスト・ベースのモビリティを適用する場合
−ＤＳＭＩＰｖ６（ＩＥＴＦ  ＲＦＣ５５５５に準拠するデュアル・スタック・ホストおよびルータのモバイルＩＰｖ６サポート）への更新
【００５０】
図２では、以下のステップを提供することができる。
【００５１】
図１と同じ初期状況。
−０．ＵＥクライアントは、ＥＰＳ  ＱｏＳに基づいてルールを含む半静的なＩＳＲＰポリシーを取り込む。
−１．以前のコール・フローの１と同じ。
−２．以前のコール・フローの２と同じ。
−３．以前のコール・フローの３Ａと同じ。
−４．サービス・データ・フローが３ＧＰＰ無線を通じて専用のベアラの確立／変更を必要とする場合（ケースα）、以前のコール・フローの４Ａと同じ。サービス・データ・フローが３ＧＰＰ無線を通じた専用のベアラの確立／変更を必要としない場合（ケースβ）、サービス・データ・フローに関連するＥＰＳ  ＱｏＳを用いてＵＥに通知するために、特定の通知がＰＧＷ／ＧＧＳＮからＵＥに送信されることになっている。この通知は、ＥＰＣを通じて作られる新しい信号手順に対応する。この新しい信号の可能な実装は、以下のとおりでもよい：以下にあるＰＧＷ／ＧＧＳＮからＵＥへのＵＥ通知手順が規定される。
ｉ．場合によっては、ＳＧＷ（３ＧＰＰ  ＴＳ２９．２７４に規定される）を介したＰＧＷ／ＧＧＳＮからＭＭＥ／ＳＧＳＮへの新しいＧＴＰ−ｃ  ＵＥ通知メッセージ
ｉｉ．ＭＭＥまたはＳＧＳＮからＵＥへの新しいＮＡＳ（非アクセス層）ＵＥ通知メッセージ（３ＧＰＰ  ＴＳ２４．３０１および２４．００８に規定）
ｉｉｉ．通知自体は、変更されたＰＣＯ（プロトコル構成オプション）で運ぶことができる。
ｉｖ．ＳＧＷ、ＭＭＥ、ＳＧＳＮは、通知される情報を理解する必要はない。これらは、ＵＥに情報を中継する必要があるだけである。
−５．（４で受信した）ＩＰフローのＥＰＳ  ＱｏＳおよび（０で受信した）ＩＳＲＰルールに基づいて、ＵＥは、サービス・フローをサポートするためにどのＲＡＴを選択するべきかについて適切な決定を行う。
【００５２】
この決定によって、サービス・データ・フローを運ぶためにＵＥにＲＡＴを変更させることができる（たとえば、ＷｉＦｉを使用する代わりに３ＧＰＰ無線を使用する）。その場合、ＰＣＲＦは、ＩＦＯＭ手順に準拠して、このＵＥ決定について通知を受ける（２３．２６１に規定されたネットワーク手順を介してＵＥからＰＣＥＦに通知、および３ＧＰＰ２９．２１２に規定されたＰＣＥＦからＰＣＲＦへのＩＰフロー・モビリティ・ルールの変更）。これが適用される場合、次に、ＰＣＲＦはケースβとケースαとを切り替える必要がある場合がある。
【００５３】
ＩＰフローに関連するＥＰＳ  ＱｏＳについてＵＥに認識させることは、他の使用法がある場合がある。
【００５４】
たとえば、ＷｉＦｉを通じてでも、ＩＰフローに関連するＥＰＳ  ＱｏＳについてＵＥに認識させると、ＵＥは、フローによって必要とされるＱｏＳに基づいて、ＷｉＦｉに関連するＱｏＳ（たとえば、８０２．１１ｅ）を開始することができる。
【００５５】
一実施形態の一態様では、オペレータのポリシーに基づいて、マルチアクセス通信システムのユーザー装置ＵＥによるＩＰトラフィックのルーティングのためのアクセス・ネットワークの制御／アクセス技術の選択のための方法が提供され、
−前述のオペレータのポリシーは、特定のＱｏＳフィルタに一致するＩＰトラフィックに基づいて、サービスの質ＱｏＳベースのポリシーを含む。
【００５６】
一実施形態では、
−前述のオペレータのポリシーは、移動通信システムによってこのＩＰトラフィックに提供されるサービスの質について特定のフィルタに一致するＩＰトラフィックに基づいて、サービスの質ＱｏＳベースのポリシーを含む。
【００５７】
一実施形態では、
−移動通信システムによって提供される前述のサービスの質は、移動通信システムのサービスの質ポリシー・サーバーによって決定される。
【００５８】
一実施形態では、
−前述のＱｏＳベースのポリシーは、１つまたは複数のフィルタ・ルールを含み、特定のＱｏＳフィルタに一致するトラフィックをルーティングするために利用できる場合、それぞれが、ＵＥによって使用されるアクセス技術／アクセス・ネットワークの優先順位が付けられたリストを識別する。
【００５９】
一実施形態では、
−前述のＱｏＳベースのポリシーは、１つまたは複数のフィルタ・ルールを含み、特定のＱｏＳフィルタに一致するトラフィックに対して、それぞれが、どのアクセス技術／アクセス・ネットワークを制限するかを識別する。
【００６０】
一実施形態では、
−前述のＱｏＳフィルタは、少なくとも１つのＱｏＳパラメータの特定の値に関連するＩＰトラフィックをフィルタする。
【００６１】
一実施形態では、
−前述のＱｏＳフィルタは、少なくとも１つの３ＧＰＰモバイル・ネットワークＱｏＳパラメータの特定の値に関連するＩＰトラフィックをフィルタする。
【００６２】
一実施形態では、
−前述のＱｏＳフィルタは、少なくとも１つの３ＧＰＰ２モバイル・ネットワークＱｏＳパラメータの特定の値に関連するＩＰトラフィックをフィルタする。
【００６３】
一実施形態では、
−前述のＱｏＳフィルタは、ＱｏＳクラス識別子ＱＣＩに対応するＱｏＳパラメータの特定の値に関連するＩＰトラフィックをフィルタする。
【００６４】
一実施形態では、前述の方法は、
−前述のＱｏＳベースのポリシーをユーザー装置にダウンロードするステップ
を含む。
【００６５】
一実施形態では、前述の方法は、
−ポリシー・サーバーが、特にＡＮＤＳＦにおいて、前述のＱｏＳベースのポリシーをユーザー装置にダウンロードするステップ
を含む。
【００６６】
一実施形態では、前述の方法は、
−サービス実行のときに、サービス・データ・フローＳＤＦに関連するＱｏＳについてユーザー装置に通知するステップ
を含む。
【００６７】
一実施形態では、前述の方法は、
−サービス・データ・フローＳＤＦに関連する少なくとも１つのＱｏＳパラメータについてユーザー装置に通知するステップ
を含む。
【００６８】
一実施形態では、
−ＱｏＳパラメータは、サービス・データ・フローＳＤＦレベルのＱｏＳパラメータに関連するベアラレベルＱｏＳパラメータを含む。
【００６９】
一実施形態では、
−ベアラレベルＱｏＳは、３ＧＰＰ進化型パケット・システムＥＰＳ  ＱｏＳに対応する。
【００７０】
一実施形態では、
−ＱｏＳパラメータは、ＱｏＳクラス識別子のＱＣＩパラメータを含む。
【００７１】
一実施形態では、前述の方法は、
−前述のＱｏＳベースのポリシー、および前述のトラフィックを運ぶサービス・データ・フローに関連するＱｏＳに基づいて、ＩＰトラフィックのルーティングのためのアクセス・ネットワーク／アクセス技術を選択するユーザー装置
を含む。
【００７２】
一実施形態では、３ＧＰＰおよび非３ＧＰＰのアクセス・ネットワーク／アクセス技術を含むシステムにおいて、前述の方法は、
−前述のＳＤＦがマッピングされたベアラの確立または変更のために、ユーザー装置ＵＥと３ＧＰＰコア・ネットワークとの間で交換される信号を使用して、サービス・データ・フローＳＤＦに関連するＱｏＳについてＵＥに通知するステップ
を含む。
【００７３】
一実施形態では、前述の方法は、
−専用のベアラのアクティベーション内のセッション管理信号またはＵＥと３ＧＰＰ進化型パケット・コアＥＰＣとの間の変更手順を使用して、サービス・データ・フローＳＤＦに関連するＱｏＳについてユーザー装置に通知するステップ
を含む。
【００７４】
一実施形態の他の態様では、
３ＧＰＰおよび非３ＧＰＰのアクセス・ネットワーク／アクセス技術を含むマルチアクセス通信システムでのＱｏＳサポートのための方法が提供され、前述の方法は、
−サービス・データ・フローＳＤＦに対して、３ＧＰＰアクセス・ネットワーク／アクセス技術を通じてベアラの確立または変更を必要としないユーザー装置ＵＥへの３ＧＰＰコア・ネットワークによって割り当てられた前述のＳＤＦに関連するＱｏＳの通知
を含む。
【００７５】
一実施形態では、前述の方法は、
−３ＧＰＰアクセス・ネットワーク／アクセス技術を通じてユーザー装置ＵＥと３ＧＰＰコア・ネットワークとの間で交換される専用の信号を使用して、サービス・データ・フローＳＤＦに関連するＱｏＳについてＵＥに通知するステップ
を含む。
【００７６】
一実施形態では、前述の方法は、
−ＰＧＷ／ＧＧＳＮなどのネットワーク・エンティティーが、ＧＴＰ−ｃプロトコルに従って、かつ場合によってはＳＧＷなどのネットワーク・エンティティーを介して、サービス・データ・フローに関連するＱｏＳを含む通知メッセージをＭＭＥ／ＳＧＳＮなどのネットワーク・エンティティーに送信するステップ
を含む。
【００７７】
一実施形態では、前述の方法は、
−ＭＭＥ／ＳＧＳＮなどのネットワーク・エンティティーが、ＮＡＳプロトコルに従って、サービス・データ・フローに関連するＱｏＳを含む通知メッセージをユーザー装置ＵＥに送信するステップ
を含む。
【００７８】
一実施形態では、
−サービス・データ・フローに関連する前述のＱｏＳは、プロトコル構成オプションＰＣＯで前述のメッセージ内で運ばれる。
【００７９】
一実施形態では、前述の方法は、
−非３ＧＰＰのアクセス・ネットワーク／アクセス技術を通じてユーザー装置ＵＥと３ＧＰＰコア・ネットワークとの間で交換される専用の信号を使用して、サービス・データ・フローＳＤＦに関連するＱｏＳについてＵＥに通知するステップ
を含む。
【００８０】
一実施形態では、ＤＳＭＩＰなどホストベースのＩＰモビリティ・プロトコルをサポートするシステムにおいて、前述の方法は、
−ＰＧＷなど、ホーム・エージェント機能を持つネットワーク・エンティティーが、前述のホストベースのＩＰモビリティ・プロトコル内において、サービス・データ・フローに関連する前述のＱｏＳをユーザー装置に送信する
ステップを含む。
【００８１】
一実施形態では、ＰＭＩＰタイプのネットワークベースのＩＰモビリティ・プロトコルをサポートするシステムにおいて、前述の方法は、
−ＬＭＡ機能を持つＰＧＷなどのネットワーク・エンティティーは、前述のＩＰモビリティ・プロトコル内において、サービス・データ・フローに関連する前述のＱｏＳをＭＡＧ機能を持つｅＰＤＧなどのネットワーク・エンティティーに送信するステップ
を含む。
【００８２】
一実施形態では、ＧＴＰタイプのネットワークベースのＩＰモビリティ・プロトコルをサポートするシステムにおいて、前述の方法は、
−ＰＧＷなどのネットワーク・エンティティーが、前述のＩＰモビリティ・プロトコル内において、サービス・データ・フローに関連する前述のＱｏＳをｅＰＤＧなどのネットワーク・エンティティーに送信するステップ
を含む。
【００８３】
一実施形態では、ネットワークベースのＩＰモビリティ・プロトコルをサポートするシステムにおいて、前述の方法は、
−ｅＰＤＧなどのネットワーク・エンティティーが、インターネット鍵交換ＩＫＥプロトコル内において、サービス・データ・フローに関連する前述のＱｏＳをユーザー装置に送信するステップ
を含む。
【００８４】
一実施形態では、前述の方法は、ユーザー装置によるＩＰトラフィックのルーティングのためのアクセス・ネットワークの制御／アクセス技術の選択のために、特定のＱｏＳフィルタに一致するＩＰトラフィックに基づいて、サービスの質ＱｏＳベースのポリシーをサポートするシステムで提供される。
【００８５】
他の態様では、そのような方法（複数可）を実行するための手段を含むユーザー装置が提供される。
【００８６】
一実施形態の一態様では、
−オペレータのポリシーに基づいて、マルチアクセス通信システムにおいて前述のユーザー装置によるＩＰトラフィックのルーティングのためのアクセス・ネットワーク／アクセス技術を選択するための手段と、
−特定のＱｏＳフィルタに一致するＩＰトラフィックに基づいて、サービスの質ＱｏＳベースのポリシーを含む前述のオペレータのポリシーと
を含むユーザー装置が提供される。
【００８７】
一実施形態では、前述のユーザー装置は、
−前述のＱｏＳベースのポリシー、および前述のトラフィックを運ぶサービス・データ・フローに関連するＱｏＳに基づいて、ＩＰトラフィックのルーティングのためのアクセス・ネットワーク／アクセス技術を選択するための手段
を含む。
【００８８】
一実施形態では、前述のユーザー装置は、
−ポリシー・サーバーから前述のＱｏＳベースのポリシーを受信するための手段
を含む。
【００８９】
一実施形態では、前述のユーザー装置は、
−サービス・データ・フローＳＤＦに関連するＱｏＳの通知を受信するための手段
を含む。
【００９０】
一実施形態では、３ＧＰＰおよび非３ＧＰＰのアクセス・ネットワーク／アクセス技術を含むシステムにおいて、前述のユーザー装置は、
−前述のＳＤＦがマッピングされるベアラの確立または変更のために、ＵＥと３ＧＰＰコア・ネットワークとの間で交換される信号を介して前述の通知を受信するための手段
を含む。
【００９１】
一実施形態では、前述のユーザー装置は、
−専用のベアラのアクティベーション内のセッション管理信号またはＵＥと３ＧＰＰ進化型パケット・コアＥＰＣとの間の変更手順を介して、前述の通知を受信するための手段
を含む。
【００９２】
一実施形態の他の態様では、３ＧＰＰおよび非３ＧＰＰのアクセス・ネットワーク／アクセス技術を含むマルチアクセス通信システムにおいて、ユーザー装置ＵＥが提供され、前述のＵＥは、
−前述のＵＥが、前述のＳＤＦのために３ＧＰＰアクセス・ネットワーク／アクセス技術を通じてベアラの確立または変更を必要としない場合、３ＧＰＰコア・ネットワークによって割り当てられた、サービス・データ・フローＳＤＦに関連するＱｏＳの通知を受信するための手段
を含む。
【００９３】
一実施形態では、前述のユーザー装置は、
−３ＧＰＰアクセス・ネットワーク／アクセス技術を通じてＵＥと３ＧＰＰコア・ネットワークとの間で交換される専用の信号を使用して、サービス・データ・フローＳＤＦに関連するＱｏＳの通知を受信するための手段
を含む。
【００９４】
一実施形態では、前述のユーザー装置は、
−ＮＡＳプロトコルに従って、サービス・データ・フローに関連するＱｏＳを含む通知メッセージを受信するための手段
を含む。
【００９５】
一実施形態では、
−サービス・データ・フローに関連する前述のＱｏＳは、プロトコル構成オプションＰＣＯで前述のメッセージ内で運ばれる。
【００９６】
一実施形態では、前述のユーザー装置は、
−非３ＧＰＰのアクセス・ネットワーク／アクセス技術を通じてＵＥと３ＧＰＰコア・ネットワークとの間で交換される専用の信号を使用して、サービス・データ・フローＳＤＦに関連するＱｏＳについて通知を受信するための手段
を含む。
【００９７】
一実施形態では、ＤＳＭＩＰなどホストベースのＩＰモビリティ・プロトコルをサポートするシステムにおいて、前述のＵＥは、
−前述のホストベースのＩＰモビリティ・プロトコル内において、ホーム・エージェント機能を持つＰＧＷなどのネットワーク・エンティティーからサービス・データ・フローに関連する前述のＱｏＳを受信するための手段
を含む。
【００９８】
一実施形態では、ネットワークベースのＩＰモビリティ・プロトコルをサポートするシステムにおいて、前述のＵＥは、
−インターネット鍵交換ＩＫＥプロトコル内において、ｅＰＤＧなどのネットワーク・エンティティーからサービス・データ・フローに関連する前述のＱｏＳを受信するための手段
を含む。
【００９９】
一実施形態では、特定のＱｏＳフィルタに一致するＩＰトラフィックに基づいて、サービスの質ＱｏＳベースのポリシーをサポートするシステムにおいて、ユーザー装置によるＩＰトラフィックのルーティングのためのアクセス・ネットワークの制御／アクセス技術の選択のために、前述のＵＥは、
−前述のＱｏＳベースのポリシーおよび前述の通知されたＱｏＳに基づいて、アクセス・ネットワーク／アクセス技術を選択するための手段
を含む。
【０１００】
一実施形態では、前述のユーザー装置は、
−前述の通知を受信したときに、非３ＧＰＰのアクセス・ネットワーク／アクセス技術関連のＱｏＳを開始するための手段
を含む。
【０１０１】
他の態様では、そのような方法（複数可）を実行するための手段を含む、ポリシー・サーバーなどのネットワーク・エンティティーが提供される。
【０１０２】
一実施形態では、マルチアクセス通信システムにおいてポリシー・サーバーなどネットワーク・エンティティーが提供され、前述のネットワーク・エンティティーは、
−前述のユーザー装置によるＩＰトラフィックのルーティングのためのアクセス・ネットワークの制御／アクセス技術の選択のために、ユーザー装置にオペレータのポリシーを提供するための手段と、
−特定のＱｏＳフィルタに一致するＩＰトラフィックに基づいて、サービスの質ＱｏＳベースのポリシーを含む前述のオペレータのポリシーと
を含む。
【０１０３】
他の態様では、そのような方法（複数可）を実行するための手段を含む、信号を管理するネットワーク・エンティティーが提供される。
【０１０４】
一実施形態の一態様では、３ＧＰＰおよび非３ＧＰＰのアクセス・ネットワーク／アクセス技術を含むマルチアクセス通信システムで信号を管理するネットワーク・エンティティーが提供され、前述のネットワーク・エンティティーは、
−３ＧＰＰアクセス・ネットワーク／アクセス技術を通じてユーザー装置ＵＥと３ＧＰＰコア・ネットワークとの間で交換される専用の信号を使用して、ＳＤＦに関連するＱｏＳについてＵＥに通知するための手段
を含む。
【０１０５】
一実施形態では、ＰＧＷ／ＧＧＳＮに対応するネットワーク・エンティティーなどネットワーク・エンティティーが提供され、
−ＭＭＥ／ＳＧＳＮに対応するネットワーク・エンティティーに、ＧＴＰ−ｃプロトコルに従って、かつ場合によってはＳＧＷなどのネットワーク・エンティティーを介して、サービス・データ・フローに関連するＱｏＳを含む通知メッセージを送信するための手段
を含む。
【０１０６】
一実施形態では、ＭＭＥ／ＳＧＳＮに対応するネットワーク・エンティティーなどネットワーク・エンティティーが提供され、
−ＮＡＳプロトコルに従って、サービス・データ・フローに関連するＱｏＳを含む通知メッセージをユーザー装置ＵＥに送信するための手段
を含む。
【０１０７】
一実施形態では、
−サービス・データ・フローに関連する前述のＱｏＳは、プロトコル構成オプションＰＣＯで前述のメッセージ内で運ばれる。
【０１０８】
一実施形態の他の態様では、
３ＧＰＰおよび非３ＧＰＰのアクセス・ネットワーク／アクセス技術を含むマルチアクセス通信システムで信号を管理するネットワーク・エンティティーが提供され、前述のネットワーク・エンティティーは、
−非３ＧＰＰのアクセス・ネットワーク／アクセス技術を通じてユーザー装置ＵＥと３ＧＰＰコア・ネットワークとの間で交換される専用の信号を使用して、サービス・データ・フローＳＤＦに関連するＱｏＳについてＵＥに通知するための手段
を含む。
【０１０９】
一実施形態では、ＤＳＭＩＰなどホストベースのＩＰモビリティ・プロトコルをサポートするシステムにおいて、ホーム・エージェント機能を持つＰＧＷなどのエンティティーに対応するネットワーク・エンティティーが提供され、
−前述のホストベースのＩＰモビリティ・プロトコル内において、サービス・データ・フローに関連する前述のＱｏＳをユーザー装置に送信するための手段
を含む。
【０１１０】
一実施形態では、ＰＭＩＰタイプのネットワークベースのＩＰモビリティ・プロトコルをサポートするシステムにおいて、ＬＭＡ機能を持つＰＧＷなどのエンティティーに対応するネットワーク・エンティティーが提供され、前述のネットワーク・エンティティーは、
−前述のＩＰモビリティ・プロトコル内において、サービス・データ・フローに関連する前述のＱｏＳをＭＡＧ機能を持つｅＰＤＧなどのネットワーク・エンティティーに送信するための手段
を含む。
【０１１１】
一実施形態では、ＧＴＰタイプのネットワークベースのＩＰモビリティ・プロトコルをサポートするシステムにおいて、ＰＧＷなどのエンティティーに対応するネットワーク・エンティティーが提供され、前述のネットワーク・エンティティーは、
−前述のＩＰモビリティ・プロトコル内において、サービス・データ・フローに関連する前述のＱｏＳをｅＰＤＧなどのネットワーク・エンティティーに送信するための手段
を含む。
【０１１２】
一実施形態では、ネットワークベースのＩＰモビリティ・プロトコルをサポートするシステムにおいて、ｅＰＤＧなどのエンティティーに対応するネットワーク・エンティティーが提供され、
−インターネット鍵交換ＩＫＥプロトコル内において、サービス・データ・フローに関連する前述のＱｏＳをユーザー装置に送信するための手段
を含む。
【０１１３】
一実施形態では、そのようなネットワーク・エンティティー（単数または複数）は、ユーザー装置によるＩＰトラフィックのルーティングのためのアクセス・ネットワークの制御／アクセス技術の選択のために、特定のＱｏＳフィルタに一致するＩＰトラフィックに基づいて、サービスの質ＱｏＳベースのポリシーをサポートするシステムで提供される。
【０１１４】
前述の手段の詳細な実装は当業者にとって特別な問題を生じさせるものではなく、したがって、そのような手段は、当業者のために、それらの機能について上記より詳細に開示する必要はない。
【０１１５】
上記のさまざまな方法のステップは、プログラムされたコンピュータによって実行することができることを当業者であれば容易に認識されるだろう。本明細書において、一部の実施形態は、たとえば、デジタル・データ記憶メディアなど、プログラム記憶装置を包含するようにも意図されており、プログラム記憶装置は、機械またはコンピュータで読み取り可能であり、機械で実行可能またはコンピュータで実行可能なプログラム命令をエンコードし、前述の命令は、上記した方法のステップの一部またはすべてを実行する。プログラム記憶装置は、たとえば、デジタル・メモリ、磁気ディスクや磁気テープなどの磁気記憶メディア、ハードドライブ、または光学的に読み取り可能なデジタル・データ記憶メディアなどでもよい。また、実施形態は、上記の方法の上述したステップを実行するようにプログラムされたコンピュータを包含することを意図するものである。
【図１】
2013546243.tif 000003
【図２】
2013546243.tif 000004
【図３】
2013546243.tif 000005
【国際調査報告】
2013546243.tif 000006
2013546243.tif 000007
2013546243.tif 000008